(57)【要約】【課題】データを記憶するサーバ装置を設置せずに、会議に使用されるデータのセキュリティを保ちながら、会議の参加者同士で当該データを共有できるようにする。【解決手段】実施形態の情報処理システムは、複数の端末と、少なくとも１つの出力装置と、を備える情報処理システムであって、端末は、第２のネットワークよりも通信可能距離が短い第１のネットワークに接続し、第１のネットワークを介して第２のネットワークの接続設定情報を受信する第１の通信部と、接続設定情報を使用して第２のネットワークに接続し、第２のネットワークを介して通信する第２の通信部と、を備え、出力装置は、第１の端末から入力されたデータを出力する出力部と、第２の端末から第２のネットワークを介してデータの取得要求を受信した場合、データを第２のネットワークを介して第２の端末に送信する第３の通信部と、を備える。【選択図】図１
2017027353.tif 000002
【特許請求の範囲】
【請求項１】
複数の端末と、少なくとも１つの出力装置と、を備える情報処理システムであって、
前記端末は、
第２のネットワークよりも通信可能距離が短い第１のネットワークに接続し、前記第１のネットワークを介して前記第２のネットワークの接続設定情報を受信する第１の通信部と、
前記接続設定情報を使用して前記第２のネットワークに接続し、前記第２のネットワークを介して通信する第２の通信部と、を備え、
前記出力装置は、
第１の前記端末から入力されたデータを出力する出力部と、
第２の前記端末から前記第２のネットワークを介して前記データの取得要求を受信した場合、前記データを前記第２のネットワークを介して前記第２の端末に送信する第３の通信部と、
を備える情報処理システム。
【請求項２】
前記第１の通信部は、前記第１のネットワークを介して前記第２のネットワークに接続可能な装置があるか否かを確認する第１の確認要求に応答した場合、前記第１のネットワークを介して前記接続設定情報を受信する、
請求項１に記載の情報処理システム。
【請求項３】
前記第３の通信部は、前記第２の端末から前記第２のネットワークを介して前記データの取得要求を受信すると、前記データが送信可能か否かを確認する第２の確認要求を前記第１の端末に送信し、前記第１の端末から前記データの送信許可を示す応答があった場合、前記データを前記第２の端末に送信する、
請求項１又は２に記載の情報処理システム。
【請求項４】
前記第３の通信部は、前記第２の端末から前記第２のネットワークを介して前記データの取得要求を受信すると、前記データの送信を許可する前記端末を示す許可端末情報に、前記第２の端末が含まれている場合、前記データを前記第２の端末に送信する、
請求項１又は２に記載の情報処理システム。
【請求項５】
前記第１の端末の第２の通信部は、前記第２の端末から、前記第２のネットワークを介して前記データの取得要求を受信すると、前記データの送信を許可する場合、前記第２の端末に前記データを送信する、
請求項１乃至４のいずれか１項に記載の情報処理システム。
【請求項６】
前記第２の端末は、前記第１の確認要求を所定の時間内に受信しなかった場合、第２のネットワークを介して受信された前記データを削除する制御部、
を更に備える請求項１乃至５のいずれか１項に記載の情報処理システム。
【請求項７】
第２のネットワークよりも通信可能距離が短い第１のネットワークに接続し、前記第１のネットワークを介して前記第２のネットワークの接続設定情報を受信する第１の通信部と、
前記接続設定情報を使用して前記第２のネットワークに接続し、第１の端末から前記第２のネットワークを介してデータを受信する第２の通信部と、
前記データを出力する出力部と、を備え、
前記第２の通信部は、第２の端末から前記第２のネットワークを介して前記データの取得要求を受信すると、前記データを前記第２の端末に送信する、
出力装置。
【請求項８】
出力装置を、
第２のネットワークよりも通信可能距離が短い第１のネットワークに接続し、前記第１のネットワークを介して前記第２のネットワークの接続設定情報を受信する第１の通信部と、
前記接続設定情報を使用して前記第２のネットワークに接続し、第１の端末から前記第２のネットワークを介してデータを受信する第２の通信部と、
前記第１の端末から入力されたデータを出力する出力部と、
して機能させるためのプログラムであって、
前記第２の通信部は、第２の端末から前記第２のネットワークを介して前記データの取得要求を受信すると、前記データを前記第２の端末に送信する、
プログラム。
【請求項９】
第１のネットワークよりも通信可能距離が長い第２のネットワークの接続設定情報を記憶する記憶部と、
前記第１のネットワークを介して第２のネットワークに接続可能な装置があるか否かを確認する確認要求を送信し、前記確認要求の応答を送信した装置に、前記接続設定情報を送信する通信部と、
を備える通信装置。
【請求項１０】
第１のネットワークよりも通信可能距離が長い第２のネットワークの接続設定情報を記憶する記憶部を備える通信装置を、
前記第１のネットワークを介して第２のネットワークに接続可能な装置があるか否かを確認する確認要求を送信し、前記確認要求の応答を送信した装置に、前記接続設定情報を送信する通信部、
として機能させるためのプログラム。
【発明の詳細な説明】
【技術分野】
【０００１】
本発明は情報処理システム、出力装置、通信装置及びプログラムに関する。
【背景技術】
【０００２】
会議に使用されるデータを、会議の参加者同士で共有できるようにする技術が従来から知られている。
【０００３】
特許文献１には、会議に使用されるデータのセキュリティを保ちながら、会議の参加者同士で当該データをより容易に共有できるようにする情報処理システムの発明が開示されている。
【発明の概要】
【発明が解決しようとする課題】
【０００４】
しかしながら従来の技術では、会議の参加者同士で共有されるデータを記憶するサーバ装置が必要だった。
【０００５】
本発明は、上記に鑑みてなされたものであって、データを記憶するサーバ装置を設置せずに、会議に使用されるデータのセキュリティを保ちながら、会議の参加者同士で当該データを共有できるようにする情報処理システム、出力装置、通信装置及びプログラムを提供することを目的とする。
【課題を解決するための手段】
【０００６】
上述した課題を解決し、目的を達成するために、本発明は、複数の端末と、少なくとも１つの出力装置と、を備える情報処理システムであって、前記端末は、第２のネットワークよりも通信可能距離が短い第１のネットワークに接続し、前記第１のネットワークを介して前記第２のネットワークの接続設定情報を受信する第１の通信部と、前記接続設定情報を使用して前記第２のネットワークに接続し、前記第２のネットワークを介して通信する第２の通信部と、を備え、前記出力装置は、第１の前記端末から入力されたデータを出力する出力部と、第２の前記端末から前記第２のネットワークを介して前記データの取得要求を受信した場合、前記データを前記第２のネットワークを介して前記第２の端末に送信する第３の通信部と、を備える。
【発明の効果】
【０００７】
本発明によれば、データを記憶するサーバ装置を設置しなくても、会議に使用されるデータのセキュリティを保ちながら、会議の参加者同士で当該データを共有することができるという効果を奏する。
【図面の簡単な説明】
【０００８】
【図１】図１は実施形態の情報処理システムの構成の例を示す図である。
【図２】図２は実施形態の第１の通信装置及び第２の通信装置の設置例を示す図である。
【図３】図３は実施形態の情報処理方法の例を示す概念図である。
【図４】図４は実施形態の端末の機能構成の例を示す図である。
【図５】図５は実施形態の接続確認画面の例を示す図である。
【図６】図６は実施形態の共有確認画面の例を示す図である。
【図７】図７は実施形態の出力装置の機能構成の例を示す図である。
【図８】図８は実施形態の第１の通信装置の機能構成の例を示す図である。
【図９】図９は実施形態の第２のネットワークの接続方法の例を示すシーケンス図である。
【図１０】図１０は実施形態のデータ共有方法の例を示すシーケンス図である。
【図１１】図１１は実施形態の変形例１の情報処理方法の例を示す概念図である。
【図１２】図１２は実施形態の変形例１のデータ共有方法の例を示すシーケンス図である。
【図１３】図１３は実施形態の変形例２のデータ共有確認方法の例を示すシーケンス図である。
【図１４】図１４は実施形態の変形例２の共有確認画面の例を示す図である。
【図１５】図１５は実施形態の変形例２のデータ共有方法の例を示すシーケンス図である。
【図１６】図１６は実施形態の変形例３の出力装置の機能構成の例を示す図である。
【図１７】図１７は実施形態の変形例３のデータ共有方法の例を示すシーケンス図である。
【図１８】図１８は実施形態の変形例４の端末の機能構成の例を示す図である。
【図１９】図１９は実施形態の変形例４の選択画面の例を示す図である。
【図２０】図２０は実施形態の変形例４のデータのアクセス制御方法の例１を示す図である。
【図２１】図２１は実施形態の変形例４のデータのアクセス制御方法の例２を示すシーケンス図である。
【図２２】図２２は実施形態の端末のハードウェア構成の例を示す図である。
【図２３】図２３は実施形態の出力装置のハードウェア構成の例を示す図である。
【図２４】図２４は実施形態の第１の通信装置のハードウェア構成の例を示す図である。
【発明を実施するための形態】
【０００９】
以下に添付図面を参照して、情報処理システム、出力装置、通信装置及びプログラムの実施形態を詳細に説明する。
【００１０】
図１は実施形態の情報処理システムの構成の例を示す図である。実施形態の情報処理システム１００は、端末１０ａ、端末１０ｂ、出力装置２０ａ、出力装置２０ｂ、第１の通信装置３０及び第２の通信装置４０を備える。
【００１１】
第１のネットワーク１１０は、第１の通信装置３０により構築される。
【００１２】
第２のネットワーク１２０は、第２の通信装置４０により構築される。端末１０ａ、端末１０ｂ、出力装置２０ａ、出力装置２０ｂ、第１の通信装置３０は、第２のネットワーク１２０の接続設定情報を使用して、第２のネットワーク１２０に接続する。接続設定情報は、識別情報及びパスワードを含む。識別情報は第２のネットワーク１２０を識別する情報である。パスワードは第２のネットワーク１２０に接続するためのパスワードである。端末１０ａ、端末１０ｂ、出力装置２０ａ及び出力装置２０ｂは、第１の通信装置３０から第１のネットワーク１１０を介して接続設定情報を受信する。
【００１３】
第１のネットワーク１１０は、第２のネットワーク１２０よりも通信可能距離が短いネットワークである。第１のネットワーク１１０の通信方式は、例えばＢＬＥ（Ｂｌｕｅｔｏｏｔｈ（登録商標）  Ｌｏｗ  Ｅｎｅｒｇｙ）である。また第２のネットワーク１２０の通信方式は、例えばＷｉＦｉ（登録商標）である。第２のネットワーク１２０の通信方式がＷｉＦｉ（登録商標）の場合、接続設定情報の識別情報は、ＳＳＩＤ（Ｓｅｒｖｉｃｅ  Ｓｅｔ  Ｉｄｅｎｔｉｆｉｅｒ）であり、接続設定情報のパスワードは、ネットワークキー（暗号化キー）である。
【００１４】
端末１０ａ及び端末１０ｂは、例えばスマートデバイス及びパーソナルコンピュータ等である。また出力装置２０ａ及び出力装置２０ｂは、例えばプロジェクタ及び液晶ディスプレイ等である。以下、端末１０ａ及び端末１０ｂを区別しない場合、単に端末１０という。同様に、出力装置２０ａ及び出力装置２０ｂを区別しない場合、単に出力装置２０という。本実施形態の説明では、端末１０がタブレット型端末、出力装置２０がプロジェクタである場合を例にして説明する。なお情報処理システム１００に含まれる端末１０の数は２台に限られず任意でよい。同様に、情報処理システム１００に含まれる出力装置２０の数は２台に限られず任意でよい。
【００１５】
図２は実施形態の第１の通信装置３０及び第２の通信装置４０の設置例を示す図である。端末１０及び出力装置２０が、第１の通信装置３０により構築される第１のネットワーク１１０の通信可能距離内にある場合、当該端末１０及び出力装置２０は、第１のネットワーク１１０を介して第２のネットワーク１２０に接続するための接続設定情報を受信できる。すなわち端末１０及び出力装置２０が、第１の通信装置３０により構築される第１のネットワーク１１０の通信可能距離内にある場合、当該端末１０及び出力装置２０は、第２の通信装置４０により構築される第２のネットワーク１２０に接続することが可能になる。なお第１の通信装置３０及び第２の通信装置４０を、１つの筐体で構成してもよい。
【００１６】
図３は実施形態の情報処理方法の例を示す概念図である。図３の例は、端末１０ａ、端末１０ｂ及び出力装置２０ａが、第１の通信装置３０により構築される第１のネットワーク１１０の通信可能距離内にあり、出力装置２０ａがデータを投影（出力）する場合を示す。はじめに、端末１０ａが、出力装置２０ａにデータの投影要求（出力要求）を送信する。なおデータの投影要求（出力要求）は、第２の通信装置４０により構築された第２のネットワーク１２０、又は、端末１０ａと出力装置２０ａとを接続する有線ケーブルを介して送信される。次に、端末１０ｂが、出力装置２０ａにより投影（出力）されたデータを取得するデータ取得要求を、第２のネットワーク１２０を介して出力装置２０ａに送信する。出力装置２０ａは、端末１０ｂからデータ取得要求を受信すると、端末１０ａから第２のネットワーク１２０を介してデータを取得する。次に、出力装置２０ａが、端末１０ａから第２のネットワーク１２０を介して取得されたデータを端末１０ｂに送信する。
【００１７】
次に実施形態の端末１０の機能構成の例について説明する。
【００１８】
図４は実施形態の端末１０の機能構成の例を示す図である。実施形態の端末１０は、記憶部１１、第１の通信部１２、第２の通信部１３、入力部１４及び表示部１５を備える。
【００１９】
記憶部１１は情報を記憶する。記憶部１１は、例えば端末情報、接続装置情報、出力情報、要求元情報及び接続設定情報等を記憶する。端末情報は自端末を示す情報である。接続装置情報は、第２のネットワーク１２０に接続中の装置を示す情報である。出力情報は、データを出力中の出力装置２０を示す情報である。要求元情報は、出力装置２０に出力されているデータの取得を要求している端末１０を示す情報である。接続設定情報は、第２のネットワーク１２０に接続するための情報である。
【００２０】
【表１】
2017027353.tif 000003
【００２１】
表１は端末１０ａの記憶部１１に記憶される情報の例を示す。表中の端末Ａは端末１０ａを識別する識別情報である。また端末Ｂは端末１０ｂを識別する識別情報である。またＰＪ１は出力装置２０ａを識別する識別情報である。またＰＪ２は出力装置２０ｂを識別する識別情報である。またＢＬＥは第１の通信装置３０を識別する識別情報である。
【００２２】
端末情報は端末Ａである。端末情報の取得元は自機である。接続装置情報は、端末Ａ、端末Ｂ、ＰＪ１及びＰＪ２である。接続装置情報の取得元はＢＬＥである。出力情報はＰＪ１が使用され、ＰＪ２が使用されていないこと（ＰＪ１＝ＯＮ，ＰＪ２＝ＯＦＦ）を示す。出力情報の取得元はＢＬＥである。要求元情報は端末Ｂである。要求元情報の取得元はＰＪ１である。接続設定情報は識別情報及びパスワードである。接続設定情報の取得元はＢＬＥである。
【００２３】
【表２】
2017027353.tif 000004
【００２４】
表２は端末１０ｂの記憶部１１に記憶される情報の例を示す。表中の端末Ａ、端末Ｂ、ＰＪ１、ＰＪ２及びＢＬＥの説明は、表１の説明と同じなので省略する。端末情報は端末Ｂである。端末情報の取得元は自機である。接続装置情報は、端末Ａ、端末Ｂ、ＰＪ１及びＰＪ２である。接続装置情報の取得元はＢＬＥである。出力情報はＰＪ１が使用され、ＰＪ２が使用されていないこと（ＰＪ１＝ＯＮ，ＰＪ２＝ＯＦＦ）を示す。出力情報の取得元はＢＬＥである。要求元情報はなしである。要求元情報の取得元はＰＪ１である。接続設定情報は識別情報及びパスワードである。接続設定情報の取得元はＢＬＥである。
【００２５】
図４に戻り、第１の通信部１２は、第２のネットワーク１２０よりも通信可能距離が短い第１のネットワーク１１０を介して通信する。第１の通信部１２は、例えば第１の通信装置３０から第２のネットワーク１２０の接続設定情報を受信する。
【００２６】
第２の通信部１３は、接続設定情報を使用して第２のネットワーク１２０に接続し、第２のネットワーク１２０を介して通信する。第２の通信部１３は、例えば第２のネットワーク１２０を介してデータの投影要求（出力要求）を出力装置２０に送信する。また第２の通信部１３は、他の端末１０から出力装置２０に出力されているデータの取得要求を、第２のネットワーク１２０を介して出力装置２０に送信する。また第２の通信部１３は、例えば自装置のデータを出力装置２０から出力しているときに、出力装置２０から第２のネットワーク１２０を介して当該データの取得要求を受信すると、当該データを出力装置２０に送信する。
【００２７】
入力部１４はユーザから情報の入力を受け付ける。表示部１５は情報を表示する。表示部１５は、例えば接続確認画面及び共有確認画面等を表示する。
【００２８】
図５は実施形態の接続確認画面の例を示す図である。接続確認画面は、端末１０が第１のネットワーク１１０の通信可能距離内に入った場合に表示される。「接続する」ボタンが押下されると、第２の通信部１３は第２のネットワーク１２０に接続する。「接続しない」ボタンが押下されると、第２の通信部１３は第２のネットワーク１２０に接続しない。
【００２９】
図６は実施形態の共有確認画面の例を示す図である。共有確認画面は、端末１０が出力装置２０からデータ取得要求を受信した場合に表示される。図６の例は、データの共有を端末Ｂに許可するか否かを確認する場合を示す。「許可する」ボタンが押下されると、第２の通信部１３は第２のネットワーク１２０を介して、データを出力装置２０に送信する。「許可しない」ボタンが押下されると、第２の通信部１３は第２のネットワーク１２０を介して、データの共有を許可しないことを示す情報を出力装置２０に送信する。
【００３０】
次に実施形態の出力装置２０の機能構成の例について説明する。
【００３１】
図７は実施形態の出力装置２０の機能構成の例を示す図である。実施形態の出力装置２０は、記憶部２１、第１の通信部２２、第２の通信部２３、ＵＩ（Ｕｓｅｒ  Ｉｎｔｅｒｆａｃｅ）部２４及び出力部２５を備える。
【００３２】
記憶部２１は情報を記憶する。記憶部２１は、例えば端末情報、接続装置情報、出力情報、要求元情報及び接続設定情報等を記憶する。端末情報、接続装置情報、出力情報、要求元情報及び接続設定情報の説明は、図４の説明と同じなので省略する。
【００３３】
【表３】
2017027353.tif 000005
【００３４】
表３は出力装置２０ａの記憶部２１に記憶される情報の例を示す。表中の端末Ａ、端末Ｂ、ＰＪ１、ＰＪ２及びＢＬＥの説明は、表１の説明と同じなので省略する。端末情報はＰＪ１である。端末情報の取得元は自機である。接続装置情報は、端末Ａ、端末Ｂ、ＰＪ１及びＰＪ２である。接続装置情報の取得元はＢＬＥである。出力情報は自機が使用されていること（ＯＮ）を示す。出力情報の取得元は自機である。要求元情報は端末Ｂである。要求元情報の取得元は自機である。接続設定情報は識別情報及びパスワードである。接続設定情報の取得元はＢＬＥである。
【００３５】
【表４】
2017027353.tif 000006
【００３６】
表４は出力装置２０ｂの記憶部２１に記憶される情報の例を示す。表中の端末Ａ、端末Ｂ、ＰＪ１、ＰＪ２及びＢＬＥの説明は、表１の説明と同じなので省略する。端末情報はＰＪ２である。端末情報の取得元は自機である。接続装置情報は、端末Ａ、端末Ｂ、ＰＪ１及びＰＪ２である。接続装置情報の取得元はＢＬＥである。出力情報は自機が使用されていないこと（ＯＦＦ）を示す。出力情報の取得元は自機である。要求元情報はなしである。要求元情報の取得元は自機である。接続設定情報は識別情報及びパスワードである。接続設定情報の取得元はＢＬＥである。
【００３７】
図７に戻り、第１の通信部２２は、第２のネットワーク１２０よりも通信可能距離が短い第１のネットワーク１１０を介して通信する。第１の通信部２２は、例えば第１の通信装置３０から第２のネットワーク１２０の接続設定情報を受信する。
【００３８】
第２の通信部２３は、接続設定情報を使用して第２のネットワーク１２０に接続し、第２のネットワーク１２０を介して通信する。第２の通信部１３は、例えば端末１０から第２のネットワーク１２０を介してデータの投影要求（出力要求）を受信する。また第２の通信部２３は、例えば端末１０ｂから第２のネットワーク１２０を介してデータの取得要求を受信すると、端末１０ａから第２のネットワーク１２０を介して当該データを取得する。
【００３９】
ＵＩ部２４はユーザから情報の入力を受け付けるボタン、及び、情報の表示と入力とが可能な液晶タッチパネル等である。ＵＩ部２４は、例えば接続確認画面（図５参照）を表示する。出力部２５は情報を出力する。出力部２５は、例えば情報をスクリーン等の投影面に投影、又は、情報を表示装置に表示する。
【００４０】
次に実施形態の第１の通信装置３０の機能構成の例について説明する。
【００４１】
図８は実施形態の第１の通信装置３０の機能構成の例を示す図である。実施形態の第１の通信装置３０は、記憶部３１、第１の通信部３２及び第２の通信部３３を備える。
【００４２】
記憶部３１は情報を記憶する。記憶部３１は、例えば接続装置情報、出力情報及び接続設定情報等を記憶する。接続装置情報、出力情報及び接続設定情報の説明は、図４の説明と同じなので省略する。
【００４３】
【表５】
2017027353.tif 000007
【００４４】
表５は第１の通信装置３０の記憶部３１に記憶される情報の例を示す。表中の端末Ａ、端末Ｂ、ＰＪ１及びＰＪ２の説明は、表１の説明と同じなので省略する。接続装置情報は、端末Ａ、端末Ｂ、ＰＪ１及びＰＪ２である。接続装置情報の取得元は各装置である。出力情報はＰＪ１が使用され、ＰＪ２が使用されていないこと（ＰＪ１＝ＯＮ，ＰＪ２＝ＯＦＦ）を示す。また出力情報はデータの出力元が端末Ａであることを示す。出力情報の取得元はＰＪ１である。接続設定情報は識別情報及びパスワードである。接続設定情報の取得元は自機である。
【００４５】
図８に戻り、第１の通信部３２は、第２のネットワーク１２０よりも通信可能距離が短い第１のネットワーク１１０を介して通信する。第１の通信部３２は、例えば第１のネットワーク１１０を介して第２のネットワーク１２０に接続可能な装置があるか否かを確認する確認要求を送信し、当該確認要求の応答を送信した装置に、接続設定情報を送信する。第２の通信部３３は、接続設定情報を使用して第２のネットワーク１２０に接続し、第２のネットワーク１２０を介して通信する。
【００４６】
次に実施形態の情報処理方法について説明する。
【００４７】
図９は実施形態の第２のネットワーク１２０の接続方法の例を示すシーケンス図である。図９の例は、端末１０ａが出力装置２０ａを使用してデータを出力する場合を示す。
【００４８】
はじめに、第１の通信装置３０が、第１のネットワーク１１０を介して、第２のネットワーク１２０に接続可能な装置があるか否かを確認する確認要求を出力装置２０ａに送信する（ステップＳ１）。次に、出力装置２０ａが、ステップＳ１で送信された確認要求の応答を第１の通信装置３０に送信する（ステップＳ２）。確認要求の応答は、出力装置２０ａを識別する識別情報（ＰＪ１）、及び、出力情報（ＰＪ１＝ＯＮ，出力元：端末Ａ）を含む。
【００４９】
次に、第１の通信装置３０が、第１のネットワーク１１０を介して、上述の確認要求を端末１０ａに送信する（ステップＳ３）。次に、端末１０ａが、ステップＳ３で送信された確認要求の応答を第１の通信装置３０に送信する（ステップＳ４）。確認要求の応答は、端末１０ａを識別する識別情報（端末Ａ）を含む。
【００５０】
次に、第１の通信装置３０が、第１のネットワーク１１０を介して、上述の確認要求を端末１０ｂに送信する（ステップＳ５）。次に、端末１０ｂが、ステップＳ５で送信された確認要求の応答を第１の通信装置３０に送信する（ステップＳ６）。確認要求の応答は、端末１０ｂを識別する識別情報（端末Ｂ）を含む。
【００５１】
なおステップＳ１〜ステップＳ６の処理は定期的に実行（ポーリング）される。
【００５２】
次に、第１の通信装置３０が、第２のネットワーク１２０に接続するための接続設定情報を出力装置２０ａに送信する（ステップＳ７）。次に、出力装置２０ａが、接続確認画面（図５参照）を表示する（ステップＳ８）。出力装置２０ａは、第２のネットワーク１２０に接続する場合、ステップＳ７で送信された接続設定情報を使用して、第２の通信装置４０（第２のネットワーク１２０）に接続する（ステップＳ９）。
【００５３】
次に、第１の通信装置３０が、上述の接続設定情報を端末１０ａに送信する（ステップＳ１０）。次に、端末１０ａが、接続確認画面（図５参照）を表示する（ステップＳ１１）。端末１０ａは、第２のネットワーク１２０に接続する場合、ステップＳ１０で送信された接続設定情報を使用して、第２の通信装置４０（第２のネットワーク１２０）に接続する（ステップＳ１２）。
【００５４】
次に、第１の通信装置３０が、上述の接続設定情報を端末１０ｂに送信する（ステップＳ１３）。次に、端末１０ｂが、接続確認画面（図５参照）を表示する（ステップＳ１４）。端末１０ｂは、第２のネットワーク１２０に接続する場合、ステップＳ１３で送信された接続設定情報を使用して、第２の通信装置４０（第２のネットワーク１２０）に接続する（ステップＳ１５）。
【００５５】
図１０は実施形態のデータ共有方法の例を示すシーケンス図である。図１０の例は、端末１０ａが出力装置２０ａを使用してデータを出力している場合を示す。はじめに、端末１０ａが、データの投影要求（出力要求）を出力装置２０ａに送信する（ステップＳ２１）。次に、端末１０ｂが、出力装置２０ａにより投影（出力）されたデータを取得するデータ取得要求を、出力装置２０ａに送信する（ステップＳ２２）。次に、出力装置２０ａが、データ取得要求を端末１０ａに送信する（ステップＳ２３）。次に、端末１０ａが、共有確認画面（図６参照）を表示する（ステップＳ２４）。次に、端末１０ａが、データの共有を許可する場合、データを出力装置２０ａに送信する（ステップＳ２５）。次に、出力装置２０ａが、ステップＳ２５で送信されたデータを端末１０ｂに送信する（ステップＳ２６）。
【００５６】
以上説明したように、実施形態の情報処理システム１００では、端末１０の第１の通信部１２が、第２のネットワーク１２０よりも通信可能距離が短い第１のネットワーク１１０に接続し、第１のネットワーク１１０を介して第２のネットワーク１２０の接続設定情報を受信する。また端末１０の第２の通信部１３が、接続設定情報を使用して第２のネットワーク１２０に接続し、第２のネットワーク１２０を介して通信する。出力装置２０の出力部２５が、端末１０ａから入力されたデータを出力する。また出力装置２０の第２の通信部２３が、端末１０ｂから第２のネットワーク１２０を介して、出力装置２０で出力される端末１０ａのデータの取得要求を受信すると、当該データを第２のネットワーク１２０を介して端末１０ｂに送信する。
【００５７】
これにより実施形態の情報処理システム１００によれば、データを記憶するサーバ装置を設置しなくても、会議に使用されるデータのセキュリティを保ちながら、会議の参加者同士で当該データを共有することができる。
【００５８】
なお送信対象のデータは、端末１０のアプリケーションデータそのものでもよいし、出力装置２０の出力用に変換された画像データ等でもよい。
【００５９】
また上述の図９の説明では、ステップＳ１〜ステップＳ６の処理をポーリングで行う場合について説明した。しかしながらステップＳ１〜ステップＳ６の処理を、第１のネットワーク１１０の通信可能距離内にある装置が、第２のネットワーク１２０への接続要求を送信する処理に代えてもよい。
【００６０】
（実施形態の変形例１）
次に実施形態の変形例１について説明する。実施形態の変形例１では、データの取得要求が出力装置２０を介さずに行われる点が実施形態の説明と異なる。
【００６１】
図１１は実施形態の変形例１の情報処理方法の例を示す概念図である。図１１の例は、端末１０ａ、端末１０ｂ及び出力装置２０ａが、第１の通信装置３０により構築される第１のネットワーク１１０の通信可能距離内にあり、出力装置２０ａがデータを投影（出力）する場合を示す。はじめに、端末１０ａが、出力装置２０ａにデータの投影要求（出力要求）を送信する。なおデータの投影要求（出力要求）は、第２の通信装置４０により構築された第２のネットワーク１２０、又は、端末１０ａと出力装置２０ａとの有線ケーブルを介して送信される。次に、端末１０ｂが、出力装置２０ａにより投影（出力）されたデータを取得するデータ取得要求を、第２のネットワーク１２０を介して端末１０ａに送信する。次に、端末１０ａが、第２のネットワーク１２０を介してデータを端末１０ｂに送信する。
【００６２】
図１２は実施形態の変形例１のデータ共有方法の例を示すシーケンス図である。はじめに、端末１０ｂが、出力装置２０ａにより投影（出力）されたデータを取得するデータ取得要求を、端末１０ａに送信する（ステップＳ３１）。次に、端末１０ａが、共有確認画面（図６参照）を表示する（ステップＳ３２）。次に、端末１０ａが、データの共有を許可する場合、当該データを端末１０ｂに送信し、データの共有を許可しない場合、当該データの共有が許可されなかったことを示す情報を端末１０ｂに送信する（ステップＳ３３）。
【００６３】
（実施形態の変形例２）
次に実施形態の変形例２について説明する。実施形態の変形例２の説明では、端末１０が３台の場合について説明する。
【００６４】
図１３は実施形態の変形例２のデータ共有確認方法の例を示すシーケンス図である。はじめに、端末１０ａが、端末１０ａと出力装置２０ａとを接続する有線ケーブルを介して、データの投影要求（出力要求）を出力装置２０ａに送信する（ステップＳ４１）。
【００６５】
次に、第１の通信装置３０が、第１のネットワーク１１０を介して、第２のネットワーク１２０に接続可能な装置があるか否かを確認する確認要求を出力装置２０ａに送信する（ステップＳ４２）。次に、出力装置２０ａが、ステップＳ４１で送信された確認要求の応答を第１の通信装置３０に送信する（ステップＳ４３）。確認要求の応答は、出力装置２０ａを識別する識別情報（ＰＪ１）、及び、出力情報（ＰＪ１＝ＯＮ，出力元：端末Ａ）を含む。
【００６６】
次に、第１の通信装置３０が、出力装置２０ａにより投影（出力）されたデータの共有可否を確認するデータ共有確認要求を、端末１０ａに送信する（ステップＳ４４）。次に、端末１０ａが、共有確認画面を表示する（ステップＳ４５）。
【００６７】
図１４は実施形態の変形例２の共有確認画面の例を示す図である。図１４の例は、他の端末１０とデータの共有を許可するか否かを確認する場合を示す。「許可する」ボタンが押下された場合、端末１０ａは第２のネットワーク１２０を介して、データを第１の通信装置３０に送信し、「許可しない」ボタンが押下された場合、端末１０ａは第２のネットワーク１２０を介して、データの共有を許可しないことを示す情報を第１の通信装置３０に送信する（ステップＳ４６）。
【００６８】
図１５は実施形態の変形例２のデータ共有方法の例を示すシーケンス図である。図１５の例は、端末１０ａが出力装置２０ａを使用してデータを出力している場合を示す。はじめに、端末１０ａが、第２のネットワーク１２０を介してデータの投影要求（出力要求）を出力装置２０ａに送信する（ステップＳ５１）。
【００６９】
次に、端末１０ｂが、出力装置２０ａにより投影（出力）されたデータを取得するデータ取得要求を、出力装置２０ａに送信する（ステップＳ５２）。次に、ステップＳ５２とほぼ同時刻に、端末１０ｃが、上述のデータ取得要求を出力装置２０ａに送信する（ステップＳ５３）。次に、出力装置２０ａが、システムがビジー状態であることを示す情報を端末１０ｃに送信する（ステップＳ５４）。
【００７０】
次に、出力装置２０ａが、データ取得要求を端末１０ａに送信する（ステップＳ５５）。次に、端末１０ａが、共有確認画面（図１４参照）を表示する（ステップＳ５６）。次に、端末１０ａが、データの共有を許可する場合、データを出力装置２０ａに送信し、データの共有を許可しない場合、データの共有を許可しないことを示す情報を出力装置２０ａに送信する（ステップＳ５７）。なおデータの共有許可の確認、及び、データの取得が既に行われている場合、ステップＳ５５〜ステップＳ５７を省略することができる。
【００７１】
次に、出力装置２０ａが、ステップＳ５７で送信されたデータを端末１０ｂに送信する（ステップＳ５８）。
【００７２】
次に、端末１０ｃが、ステップＳ５４の処理が行われてから所定の時間が経過した後、データ取得要求を、出力装置２０ａに再送信する（ステップＳ５９）。次に、出力装置２０ａが、ステップＳ５７で送信されたデータを端末１０ｃに送信する（ステップＳ６０）。
【００７３】
（実施形態の変形例３）
次に実施形態の変形例３について説明する。実施形態の変形例３では、出力装置２０が、データの共有確認を行う点が実施形態と異なる。
【００７４】
図１６は実施形態の変形例３の出力装置２０の機能構成の例を示す図である。実施形態の変形例３の出力装置２０は、記憶部２１、第１の通信部２２、第２の通信部２３、ＵＩ部２４、出力部２５及び判定部２６を備える。
【００７５】
記憶部２１は情報を記憶する。記憶部２１は、例えば端末情報、接続装置情報、出力情報、要求元情報、接続設定情報及び許可端末情報等を記憶する。端末情報、接続装置情報、出力情報、要求元情報及び接続設定情報は、実施形態の説明と同じなので説明を省略する。許可端末情報は、出力装置２０により出力されるデータの共有を許可する端末を示す情報である。許可端末情報は、例えば出力装置２０により出力されるデータを共用可能な端末を識別する識別情報を含む。
【００７６】
第１の通信部２２、第２の通信部２３、ＵＩ部２４及び出力部２５の説明は、実施形態の説明と同じなので説明を省略する。
【００７７】
判定部２６は、第２の通信部２３がデータの取得要求を受信した場合、許可端末情報に基づいてデータの共有を許可するか否かを判定する。
【００７８】
図１７は実施形態の変形例３のデータ共有方法の例を示すシーケンス図である。図１７の例は、端末１０ａが出力装置２０ａを使用してデータを出力している場合を示す。はじめに、端末１０ａが、データの投影要求（出力要求）を出力装置２０ａに送信する（ステップＳ７１）。次に、端末１０ｂが、出力装置２０ａにより投影（出力）されたデータを取得するデータ取得要求を、出力装置２０ａに送信する（ステップＳ７２）。次に、出力装置２０ａが、許可端末情報に基づいてデータの共有を許可するか否かを判定する（ステップＳ７３）。次に、出力装置２０ａが、データの共有を許可する場合、データ取得要求を端末１０ａに送信する（ステップＳ７４）。次に、端末１０ａが、データを出力装置２０ａに送信する（ステップＳ７５）。次に、出力装置２０ａが、ステップＳ７５で送信されたデータを端末１０ｂに送信する（ステップＳ７６）。
【００７９】
（実施形態の変形例４）
次に実施形態の変形例４について説明する。実施形態の変形例４では、データの共有方法が選択できる場合について説明する。
【００８０】
図１８は実施形態の変形例４の端末の機能構成の例を示す図である。実施形態の変形例４の端末１０は、記憶部１１、第１の通信部１２、第２の通信部１３、入力部１４、表示部１５及び制御部１６を備える。
【００８１】
記憶部１１、第１の通信部１２、第２の通信部１３及び入力部１４の説明は、実施形態の説明と同じなので省略する。表示部１５は情報を表示する。表示部１５は、例えば接続確認画面、共有確認画面及び選択画面等を表示する。接続確認画面及び共有確認画面の説明は、実施形態の説明と同じなので省略する（図５及び図６参照）。
【００８２】
図１９は実施形態の変形例４の選択画面の例を示す図である。選択画面は、共有確認画面で「許可する」ボタンが押下された後に表示される。「ストリーミング」が押下された場合、第２の通信部１３が、データを第２のネットワーク１２０を介して要求元の端末１０にストリーミング配信する。「暗号化送信」が押下された場合、第２の通信部１３が、データを第２のネットワーク１２０を介して要求元の端末１０に送信する。このときデータは、第２のネットワーク１２０の暗号化方式に基づいて暗号化される。暗号化方式は、例えば第２のネットワーク１２０がＷｉＦｉ（登録商標）の場合、ＷＰＡ２（ＷｉＦｉ  Ｐｒｏｔｅｃｔｅｄ  Ａｃｃｅｓｓ  ２）である。
【００８３】
図１８に戻り、制御部１６は、他の装置から第２のネットワーク１２０を介して暗号化送信されたデータ、及び、他の装置から第２のネットワーク１２０を介してストリーミング配信されているデータのアクセス制御を行う。
【００８４】
制御部１６は、例えば第１の通信装置３０から第１のネットワーク１１０を介して第２のネットワーク１２０に接続可能な装置があるか否かを確認する確認要求を、所定の時間内に受信しなかった場合、他の装置から第２のネットワーク１２０を介して暗号化送信されたデータを削除する。これにより端末１０の位置が、第１のネットワーク１１０の通信可能距離外になった場合に、他の装置から第２のネットワーク１２０を介して暗号化送信されたデータが削除されるので、当該データのセキュリティを保つことができる。
【００８５】
なおデータがストリーミング配信されている場合には、端末１０の位置が、第２のネットワーク１２０の通信可能距離外になった場合に、データのストリーミング配信ができなくなるので、当該データのセキュリティを保つことができる。
【００８６】
また制御部１６は、例えばストリーミング配信しているデータの記憶場所に変更があった場合、当該データへのアクセス先のリダイレクト制御を行う。制御部１６は、例えばストリーミング配信を行う端末１０が変更された場合、及び、ストリーミング配信の対象となるデータが変更された場合等にリダイレクト制御を行う。
【００８７】
次に実施形態の変形例４の情報処理方法について説明する。
【００８８】
図２０は実施形態の変形例４のデータのアクセス制御方法の例１を示す図である。はじめに、端末１０ｂの第２の通信部１３が、端末１０ａに第２のネットワーク１２０を介して暗号化データの送信を要求する（ステップＳ８１）。なお暗号化データの送信の要求は、出力装置２０ａに送信されてもよい。この場合、出力装置２０ａが、端末１０ａに第２のネットワーク１２０を介して暗号化データの送信を要求する。そして出力装置２０ａが、端末１０ａから受信した暗号化データを端末１０ｂに送信する。
【００８９】
次に、端末１０ｂの第２の通信部１３が、端末１０ａから第２のネットワーク１２０を介して暗号化データを受信する（ステップＳ８２）。次に、端末１０ｂの第２の通信部１３が、第２のネットワーク１２０の暗号化方式に基づいて暗号化された暗号化データを復号する（ステップＳ８３）。
【００９０】
次に、端末１０ｂの表示部１５が、ステップＳ８３で復号されたデータを表示する（ステップＳ８４）。次に、端末１０ｂの制御部１６が、第１の通信装置３０から第１のネットワーク１１０を介して第２のネットワーク１２０に接続可能な装置があるか否かを確認する確認要求を、所定の時間内に受信したか否かを判定する（ステップＳ８５）。所定の時間内に受信した場合（ステップＳ８５、Ｙｅｓ）、処理はステップＳ８４に戻る。所定の時間内に受信しなかった場合（ステップＳ８５、Ｎｏ）、端末１０ｂの制御部１６が、データを削除する（ステップＳ８６）。
【００９１】
図２１は実施形態の変形例４のデータのアクセス制御方法の例２を示すシーケンス図である。はじめに、端末１０ａが、データの投影要求（出力要求）を出力装置２０ａに送信する（ステップＳ９１）。次に、端末１０ｂが、出力装置２０ａにより投影（出力）されたデータを取得するデータ取得要求を、出力装置２０ａに送信する（ステップＳ９２）。次に、出力装置２０ａが、データ取得要求を端末１０ａに送信する（ステップＳ９３）。次に、端末１０ａが、データの共有を許可する場合、データのストリーミング配信を開始する（ステップＳ９４）。このときストリーミング配信されるデータのアクセス先を示すアクセス先情報が、端末１０ａから端末１０ｂに通知される。次に、端末１０ｂが、ステップＳ９４でストリーミング配信されたデータを表示する（ステップＳ９５）。
【００９２】
次に、端末１０ｂが、ストリーミング配信の継続要求を端末１０ａに送信する（ステップＳ９６）。継続要求は、ステップＳ９４でストリーミング配信を開始するときに端末１０ａから通知されたアクセス先情報を含む。次に、端末１０ａが、データのストリーミング配信を継続する（ステップＳ９７）。次に、端末１０ｂが、ステップＳ９４でストリーミング配信されたデータを表示する（ステップＳ９８）。
【００９３】
次に、端末１０ａに代わり端末１０ｃが、データの投影要求（出力要求）を出力装置２０ａに送信する（ステップＳ９９）。次に、出力装置２０ａが、端末１０ｃのデータのアクセス先を示すアクセス先情報を端末１０ａに通知する（ステップＳ１００）。次に、端末１０ｂが、ストリーミング配信対象の継続要求を端末１０ａに送信する（ステップＳ１０１）。次に、端末１０ａが、ステップＳ１０１で送信された継続要求を、端末１０ｃにリダイレクトして送信する（ステップＳ１０２）。このとき端末１０ａは、継続要求に含まれるアクセス先情報を、ステップＳ１００で通知されたアクセス先情報に変更する。
【００９４】
次に、端末１０ｃが、データの共有を許可する場合、ステップＳ１０２で送信された継続要求に応じて、データのストリーミング配信を開始する（ステップＳ１０３）。このときストリーミング配信されるデータのアクセス先を示すアクセス先情報が、端末１０ｃから端末１０ｂに通知される。次に、端末１０ｂが、ステップＳ１０３でストリーミング配信されたデータを表示する（ステップＳ１０４）。
【００９５】
次に、端末１０ｂが、ストリーミング配信対象の継続要求を端末１０ｃに送信する（ステップＳ１０５）。継続要求は、ステップＳ１０３で端末１０ｃがストリーミング配信を開始するときに端末１０ｃから通知されたアクセス先情報を含む。次に、端末１０ｃが、データのストリーミング配信を継続する（ステップＳ１０６）。次に、端末１０ｂが、ステップＳ１０６でストリーミング配信されたデータを表示する（ステップＳ１０７）。
【００９６】
最後に実施形態の端末１０、出力装置２０及び第１の通信装置３０のハードウェア構成の例について説明する。
【００９７】
図２２は実施形態の端末１０のハードウェア構成の例を示す図である。実施形態の端末１０は、メモリ２０１、ＣＰＵ２０２、表示装置２０３、入力装置２０４、記憶装置２０５、第１の通信制御装置２０６及び第２の通信制御装置２０７を備える。メモリ２０１、ＣＰＵ２０２、表示装置２０３、入力装置２０４、記憶装置２０５、第１の通信制御装置２０６及び第２の通信制御装置２０７は、バス２１０を介して接続されている。
【００９８】
メモリ２０１はＲＯＭ及びＲＡＭ等である。ＣＰＵ２０２はプログラムを実行する。表示装置２０３は情報を表示する。表示装置２０３は、例えば液晶ディスプレイ等である。入力装置２０４は情報の入力を受け付ける。入力装置２０４は、端末１０がパーソナルコンピュータの場合、キーボード及びマウス等である。表示装置２０３及び入力装置２０４は、表示機能と入力機能とを有する液晶タッチパネル等でもよい。記憶装置２０５はメモリカード及びＳＳＤ（Ｓｏｌｉｄ  Ｓｔａｔｅ  Ｄｒｉｖｅ）等である。記憶装置２０５は、例えばＣＰＵ２０２により実行されるプログラムを記憶する。第１の通信制御装置２０６は、第１のネットワーク１１０を介して通信する装置である。第２の通信制御装置２０７は、第２のネットワーク１２０を介して通信する装置である。
【００９９】
図２３は実施形態の出力装置２０のハードウェア構成の例を示す図である。実施形態の出力装置２０は、メモリ２１１、ＣＰＵ２１２、出力制御装置２１３、ユーザインターフェース２１４、記憶装置２１５、第１の通信制御装置２１６及び第２の通信制御装置２１７を備える。メモリ２１１、ＣＰＵ２１２、出力制御装置２１３、ユーザインターフェース２１４、記憶装置２１５、第１の通信制御装置２１６及び第２の通信制御装置２１７は、バス２２０を介して接続されている。
【０１００】
メモリ２１１はＲＯＭ及びＲＡＭ等である。ＣＰＵ２１２はプログラムを実行する。出力制御装置２１３は情報を表示する。出力制御装置２１３は、例えばプロジェクタ及び液晶ディスプレイ等である。ユーザインターフェース２１４は、ボタン及び液晶タッチパネル等である。記憶装置２１５はメモリカード及びＳＳＤ（Ｓｏｌｉｄ  Ｓｔａｔｅ  Ｄｒｉｖｅ）等である。記憶装置２０５は、例えばＣＰＵ２１２により実行されるプログラムを記憶する。第１の通信制御装置２１６は、第１のネットワーク１１０を介して通信する装置である。第２の通信制御装置２１７は、第２のネットワーク１２０を介して通信する装置である。
【０１０１】
図２４は実施形態の第１の通信装置３０のハードウェア構成の例を示す図である。
実施形態の第１の通信装置３０は、メモリ２３１、ＣＰＵ２３２、記憶装置２３３、第１の通信制御装置２３４及び第２の通信制御装置２３５を備える。メモリ２３１、ＣＰＵ２３２、記憶装置２３３、第１の通信制御装置２３４及び第２の通信制御装置２３５は、バス２４０を介して接続されている。
【０１０２】
メモリ２３１、ＣＰＵ２３２、記憶装置２３３、第１の通信制御装置２３４及び第２の通信制御装置２３５の説明は、図２２の説明と同様なので説明を省略する。
【０１０３】
上述の端末１０、出力装置２０及び第１の通信装置３０で実行されるプログラムは、インストール可能な形式又は実行可能な形式のファイルでＣＤ−ＲＯＭ、メモリカード、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記憶されてコンピュータ・プログラム・プロダクトとして提供される。
【０１０４】
また端末１０、出力装置２０及び第１の通信装置３０で実行されるプログラムを、インターネット等のネットワークに接続されたコンピュータ上に格納し、ネットワーク経由でダウンロードさせることにより提供するように構成してもよい。また端末１０、出力装置２０及び第１の通信装置３０が実行するプログラムを、ダウンロードさせずにインターネット等のネットワーク経由で提供するように構成してもよい。
【０１０５】
また端末１０、出力装置２０及び第１の通信装置３０のプログラムを、ＲＯＭ等に予め組み込んで提供するように構成してもよい。
【０１０６】
端末１０、出力装置２０及び第１の通信装置３０で実行されるプログラムは、上述の実施形態の端末１０、出力装置２０及び第１の通信装置３０の機能構成のうち、プログラムにより実現可能な機能を含むモジュール構成となっている。
【０１０７】
なお実施形態の端末１０、出力装置２０及び第１の通信装置３０の機能の一部又は全部を、ＩＣ（Ｉｎｔｅｇｒａｔｅｄ  Ｃｉｒｃｕｉｔ）等のハードウェアにより実現してもよい。
【符号の説明】
【０１０８】
１０  端末
１１  記憶部
１２  第１の通信部
１３  第２の通信部
１４  入力部
１５  表示部
１６  制御部
２０  出力装置
２１  記憶部
２２  第１の通信部
２３  第２の通信部
２４  ＵＩ部
２５  出力部
２６  判定部
３０  第１の通信装置
３１  記憶部
３２  第１の通信部
３３  第２の通信部
４０  第２の通信装置
１００  情報処理システム
１１０  第１のネットワーク
１２０  第２のネットワーク
【先行技術文献】
【特許文献】
【０１０９】
【特許文献１】特開２０１４−１７９０２９号公報
【図１】
2017027353.tif 000008
【図２】
2017027353.tif 000009
【図３】
2017027353.tif 000010
【図４】
2017027353.tif 000011
【図５】
2017027353.tif 000012
【図６】
2017027353.tif 000013
【図７】
2017027353.tif 000014
【図８】
2017027353.tif 000015
【図９】
2017027353.tif 000016
【図１０】
2017027353.tif 000017
【図１１】
2017027353.tif 000018
【図１２】
2017027353.tif 000019
【図１３】
2017027353.tif 000020
【図１４】
2017027353.tif 000021
【図１５】
2017027353.tif 000022
【図１６】
2017027353.tif 000023
【図１７】
2017027353.tif 000024
【図１８】
2017027353.tif 000025
【図１９】
2017027353.tif 000026
【図２０】
2017027353.tif 000027
【図２１】
2017027353.tif 000028
【図２２】
2017027353.tif 000029
【図２３】
2017027353.tif 000030
【図２４】
2017027353.tif 000031